(57)【要約】      （修正有）【課題】天候などの自然現象の変化が原因で計測器が誤報する可能性を事前に判定して、計測器の管理者に知らせる計測器の誤報警戒システムを提供する。【解決手段】酸素濃度計の基準酸素濃度データを記憶する基準酸素濃度データ記憶手段１４と、通信ネットワーク５に接続された通信手段６と、通信ネットワークを介して気象情報の中の気圧情報を取得する気圧情報取得手段８と、気圧情報の大気圧における酸素濃度データを演算により求める演算手段１２と、基準酸素濃度データと演算により求めた酸素濃度データとから酸素濃度計が警報を発するか否かを判定する判定手段９と、判定手段により酸素濃度計が警報を発すると判定されたときは、警報取消メッセージを作成するメッセージ作成手段１０と、作成された警報取消メッセージを、前記通信手段を介して酸素濃度計の管理者へ送信するメッセージ発報手段１１とを備える。【選択図】図１
0003199652.tif 000002
【実用新案登録請求の範囲】
【請求項１】
酸素濃度計の基準酸素濃度データを記憶する基準酸素濃度データ記憶手段と、
通信ネットワークに接続された通信手段と、
通信ネットワークを介して気象情報の中の気圧情報を取得する気圧情報取得手段と、
前記気圧情報の大気圧における酸素濃度データを演算により求める演算手段と、
基準酸素濃度データと前記演算により求めた酸素濃度データとから酸素濃度計が警報を発するか否かを判定する判定手段と、
前記判定手段により酸素濃度計が警報を発すると判定されたときは、警報取消メッセージを作成するメッセージ作成手段と、
前記メッセージ作成手段により作成された警報取消メッセージを、前記通信手段を介して前記酸素濃度計の管理者へ送信するメッセージ発報手段と、
を備えた計測器の誤報警戒システム。
【請求項２】
気圧情報取得手段が取得する気象情報は、当該気象情報取得時点（現在）よりも未来の気象情報であることを特徴とする請求項１記載の計測器の誤報警戒システム。
【考案の詳細な説明】
【技術分野】
【０００１】
本考案は、計測器の誤報警戒システム、特に天候などの自然現象の変化が原因で計測器が誤報する可能性を事前に検知して、計測器の管理者（ユーザ）に知らせる計測器の誤報警戒システムに関するものである。
【背景技術】
【０００２】
従来、ビルや家屋（例えば病院等）の室内の雰囲気を一定に保つために、雰囲気計測器として例えば酸素濃度計が用いられ、室内の酸素濃度が一定値以下に低下しないよう監視している。このような酸素濃度計に用いられる酸素センサには種々の方式のものがあるが、その一方式のものとしてガルバニ電池式酸素センサがあり、従来においても種々の改良案が提案されている。そのような改良案としては例えば特許文献１に示されたものがある。ガルバニ電池式酸素センサでは酸素濃度に比例した出力電圧が得られるが、実際にはセンサの経時変化によりセンサの出力電圧は低下してくる。その為、センサで測定された出力電圧と酸素濃度の関係を固定したものとして取扱うと、センサの出力電圧が経時変化で低下したときには、酸素濃度が正常であっても酸素濃度が基準値を下回ったものと判断され（誤作動）、異常が報知されてしまう。
【０００３】
このような問題については、上記センサの出力電圧の経時変化の特性を把握して当該経時変化に見合った時間（期間）間隔で酸素センサを取り換えたり、酸素濃度の基準値に対する出力電圧の設定を補正するといった方法で対処している。これにより、酸素濃度計などの計測器の経年劣化（変化）による誤報という問題は解決される。
【先行技術文献】
【特許文献】
【０００４】
【特許文献１】特開平０５−０４５３２５号公報
【考案の概要】
【考案が解決しようとする課題】
【０００５】
しかしながら、上述のような経時変化の補正を行っても、ガルバニ電池式酸素センサは、原理上酸素の分圧（圧力）を測定するため、大気圧が変動すると、その大気圧に比例して酸素密度が変動するから、ガルバニ電池式酸素センサの出力電圧も変化する。ちなみに、標準的な酸素濃度を２１％とし、標準的な大気圧は１０１３ｈＰａ（ヘクトパスカル）であるとして、大気圧が変動した場合の酸素濃度計の指示値の変化は次の式で表される。
Ｄ＝２１×Ｐａ/１０１３  （％）      ・・・・（式１）
ここで、
Ｄ：酸素濃度計の指示値
Ｐａ：大気圧（ｈＰａ）
である。
一例として、上記（式１）で、
Ｐａ＝９６０（ｈＰａ）
とすると、
Ｄ＝２１×９６０/１０１３＝１９．７  （％）      ・・・・（式２）
となる。
【０００６】
もし、この１９．７％という計測値が酸素濃度計の判定の閾値を下回っていたら、この酸素濃度計は警報を発することとなる。しかし、実際にはこの時の大気中の酸素濃度は２１％であり正常値であるから、上記酸素濃度計の警報は誤報ということになる。日本列島を台風や低気圧が通過するとき、或いは特定の地域に突発的集中豪雨が発生するくらいの低気圧や前線が発生する場合などには、その通過地点や地域においては上記のような酸素濃度計の誤報という問題が発生しやすい。しかもこの誤報は、酸素濃度計が故障したり経年劣化を起したりした訳でもなく全く正常に作動している状態において発生するものである。
【０００７】
本考案は上記のような不具合に鑑みてなされたもので、その目的は天候などの自然現象の変化が原因で計測器が誤報する可能性を事前に判定して、計測器の管理者に知らせる計測器の誤報警戒システムを提供することである。
【課題を解決するための手段】
【０００８】
上記目的を達成するため、本考案は、酸素濃度計の基準酸素濃度データを記憶する基準酸素濃度データ記憶手段と、通信ネットワークに接続された通信手段と、通信ネットワークを介して気象情報の中の気圧情報を取得する気圧情報取得手段と、前記気圧情報の大気圧における酸素濃度データを演算により求める演算手段と、基準酸素濃度データと前記演算により求めた酸素濃度データとから酸素濃度計が警報を発するか否かを判定する判定手段と、前記判定手段により酸素濃度計が警報を発すると判定されたときは、警報取消メッセージを作成するメッセージ作成手段と、前記メッセージ作成手段により作成された警報取消メッセージを、前記通信手段を介して前記酸素濃度計の管理者へ送信するメッセージ発報手段とを備えた計測器の誤報警戒システムを要旨とする。
【０００９】
気圧情報取得手段が取得する気象情報は、当該気象情報取得時点（現在）よりも未来の気象情報であることを特徴とする。
【考案の効果】
【００１０】
本考案によれば、天候などの自然現象の変化が原因で計測器が誤報する可能性を事前に検知して、計測器の管理者（ユーザ）に知らせることができるため、管理者は、計測器の誤報が発生する可能性を事前に認識して準備することができ、また計測器の誤報が発生してもあわてたり緊急行動を採る必要がなくなる。
【図面の簡単な説明】
【００１１】
【図１】本考案に係る計測器の誤報警戒システムの一実施の形態の構成を示すブロック図である。
【図２】上記実施の形態の処理動作における処理待機状態での作業入力画面を示す図である。
【図３】上記実施の形態の処理動作における作業入力後の酸素濃度計の情報を示す表図である。
【図４】上記実施の形態の処理動作におけるメンテナンス基幹システムのメニュー画面を示す図である。
【図５】上記実施の形態の処理動作における作業対象システムとしての酸素濃度計“誤報”警戒システムへの入力画面を示す図である。
【図６】上記実施の形態の処理動作における判定処理による酸素濃度計の判定結果情報を示す表図である。
【図７】上記実施の形態に係る計測器の誤報警戒システムの動作を説明するフローチャートである。
【考案を実施するための形態】
【００１２】
以下本考案の一実施の形態について図面を参照して説明する。図１は、本考案に係る計測器の誤報警戒システムの一実施の形態の構成を示すブロック図である。この実施の形態に係る計測器として、ガルバニ電池式酸素センサを備えた酸素濃度計を挙げる。図１において、符号１は計測器の誤報警戒システム（以下、単に「誤報警戒システム」という）を示す。誤報警戒システム１は、各種動作指示（コマンド等）が入力される入力手段としての操作部２と、誤報警戒システム１における各種動作状態が表示されるディスプレイとしての表示部３と、誤報警戒システム１の動作に必要な各種データが格納される記憶部４と、通信ネットワーク５に接続され誤報警戒システム１として外部との通信動作を行う通信部６とを備えている。さらに、誤報警戒システム１は、時刻データを出力管理するタイマー７と、通信部６を通して外部から気象情報（気圧情報）を取得する気圧情報取得部８と、気圧情報取得部８において取得された気圧情報と記憶部４に格納された情報とから、酸素濃度計が誤報を発するか否かを判定する判定部９と、酸素濃度計が誤報を発すると判定された場合に誤報予告或いは警報を取り消すためのメッセージ（これを「警報取消メッセージ」とする）を作成するメッセージ作成部１０と、メッセージ作成部１０で作成された警報取消メッセージを通信部を通して通信ネットワーク５へ出力するメッセージ発報部１１と、この誤報警戒システム１全体の動作をコントロールし、また動作に必要な演算処理を行う制御部１２とを備えている。
【００１３】
操作部２は、キーボード、マウス、或いはタッチキー方式のパネルから成り、キー操作等により各種処理の実行命令が入力される。表示部３は液晶、ＣＲＴその他のディスプレイ装置から成り、誤報警戒システム１における各種動作状況や取得された気象情報等を表示するために各種表示欄（ウィンドウ）が設けられている。また、表示部３の画面は、操作部２において選択された各操作に対応して、画面が切り替わるようになっている。
【００１４】
記憶部４は、例えば、ＨＤＤ（Hard disk drive）やフラッシュメモリ等により構成されるデータ格納部１３を始め、ＲＯＭ（Read Only Memory）１４、及びＲＡＭ（Random Access Memory）１５等の記憶手段から構成される。データ格納部１３は制御部１２が各種処理を行うために必要な処理データ、および処理実行により生成又は取得された各種データを記憶する。データ格納部１３処理データが格納されるのみならず、個々の酸素濃度計についての設置場所データや設置履歴情報、経年変化情報、及び酸素濃度の基準値に対する出力電圧の設定値などが格納され、データベースとしての機能も有している。ＲＯＭ１４は、制御部１２が誤報警戒システムとしての処理動作を行うために使用する各種プログラムやアルゴリズムを記憶する。ＲＡＭ１５は、例えば制御部１２が処理実行中において随意に読み出し、書き込みされるプログラムや処理データ、および処理実行により生成又は取得された各種データを記憶する。上記制御部１２が各種処理に使用するデータには、例えばタイマー７からの時刻データ、取得された気象情報、判定に必要な参照データ（基準値データ）、誤報予告メッセージ等が含まれる。
【００１５】
タイマー７は、基準クロック信号を生成する発振回路、基準クロック信号を分周する分周回路、分周された信号（計時信号）を計数して時刻データを得る時刻計数回路、時刻計数回路からの日キャリー信号を計数して日付データ、週データ、月データ等のカレンダー情報を得る日付計数回路を有し、時刻や日付に関するデータを制御部１２に出力する。気圧情報取得部８は気象情報提供者（例えば、インターネット上の「そらまめ」サイト等）から気象情報を取得し、その気象情報の中から気圧情報を抽出する。気象情報は本日（現在）の情報から未来（明日、来週、来月）の予報情報等が混在するので、誤報警戒動作に必要な情報を選択する。メッセージ作成部１０はメッセージを文章形式で作成する機能、或いは音声形式で作成する音声合成回路等を有している。
【００１６】
制御部１２は、例えば、ＣＰＵ（Central Processing Unit）から成る。したがって、制御部を表す場合にＣＰＵ１２と表現する場合もある。ＣＰＵ１２の演算処理部分の一部はＡＳＩＣ（Application Specific Integrated Circuit）等の専用回路から構成されてもよい。
【００１７】
かかる構成を有する誤報警戒システム１について、動作を説明する。図７は上記誤報警戒システム１による誤報警戒動作を説明するフローチャートである。誤報警戒動作が開始すると、ＣＰＵ１２はＲＯＭ１４から誤報警戒システム処理動作に必要な各種プログラムを読み出してＲＡＭ１５に転送して処理待機状態に入るとともに、ＣＰＵ１２は作業選択プログラムを起動させ、先ず表示部３に、図２に示された作業入力画面２１を表示する（ステップＳ１）。この作業入力画面２１に対して操作部２から作業対象装置として酸素濃度計情報２２の指示情報が入力されると、表示部３には、ユーザごとにそれぞれのユーザに設置されている酸素濃度計の情報が図３に示された表２３の形式で表示される（ステップＳ２）。この表２３において表示欄２４には酸素濃度計の検知部の設置場所が表示され、表示欄２５には酸素センサの交換期日が表示されている。また、表示欄２６には現在の大気圧（単位はｈＰａ）が表示され、例えばこの表２３が表示された日は晴れなので、大気圧は１０１３（ｈＰａ）と表示されている。表示欄２７には備考として表示すべき内容が表示されている。表示欄２６と表示欄２７は操作部２から入力可能である。表２３の中には操作を指示するための「登録」指示ボタン２８が設けられ、この「登録」指示ボタン２８がクリックされると、図４に示されたメンテナンス基幹システムのメニュー画面２９が表示される（ステップＳ３）。メンテナンス基幹システムのメニュー画面２９もまた、作業入力画面の一種である。このメンテナンス基幹システムのメニュー画面２９に対して操作部２から作業対象システムとして「酸素濃度計“誤報”警戒システム３１の指示情報が入力されると、ＣＰＵ１２は誤報警戒プログラムを起動し、表示部３には、図５に示されるような酸素濃度計“誤報”警戒システム３１への入力画面３２が表示される（ステップＳ４）。
【００１８】
この酸素濃度計“誤報”誤報警戒システムへの入力画面３２には、警戒年月日の入力窓３３と、想定気圧の入力窓３４と、酸素濃度計の状態調査指示用の「調査開始」指示ボタン３５とが設けられている。そして、入力窓３３に所定の日付が入力され、「調査開始」指示ボタン３５がクリックされる（ステップＳ５）。この段階では通常、想定気圧は分かっていないので、入力窓３４には特に必要な気圧情報が入力されなくてもよい。図５に示された例では、入力窓３３には警戒年月日として、２０１５年７月３０日が入力されている。警戒年月日は必ずしも「本日」である必要はなく、明日でも明後日でも、さらには１週間後の日付であってもよい。例えば、台風が接近しているという状況では明日とか明後日の日付が入力される。
【００１９】
ステップＳ５で調査が開始すると、ＣＰＵ１２は気圧情報取得部８及び通信部６を起動させて通信ネットワーク５経由で気象情報をダウンロードし、気圧情報を取得する（ステップＳ６）。これにより、上記想定気圧が、例えば９５０（ｈＰａ）というように明らかとなるから、ＣＰＵ１２は想定気圧と、データ格納部（データベース）１３から読み出した個々の酸素濃度計の状態情報、すなわち基準酸素濃度データとを基に、下記の演算処理を行う（ステップＳ７）。
Ｄ＝Ｑ×Ｐａ/１０１３  （％）      ・・・・（式３）
ここで、
Ｄ：酸素濃度計の指示値
Ｑ：酸素濃度計の基準酸素濃度データ
Ｐａ：大気圧（ｈＰａ）
である。
【００２０】
上記演算結果は判定部９へ送られ、各酸素濃度計について、上記演算結果によっては誤報を発生しやすいか否かの判定処理が行われるとともに、判定結果は表示部３に表示される（ステップＳ８）。表示部３には、それぞれの酸素濃度計の判定結果情報が図６に示された表３６の形式で表示される。この表３６において表示欄３７には酸素濃度計の使用先（ユーザ）が表示され、表示欄３８には検知部（酸素センサ）の設置場所が表示されている。また、表示欄３９には酸素濃度計の現状における経年変化の度合い情報が表示され、例えばＡＡ株式会社に設置されている酸素濃度計の酸素センサの場合（表３６の第１段目）、演算結果による酸素濃度の推定検出値は１７．６％であることを表している。他方、ＢＢ株式会社に設置されている酸素濃度計の酸素センサの場合（表３６の第２段目）、演算結果による酸素濃度の推定検出値は１８．０％であることを表している。ここで、推定検出値の１７．６％は、酸素濃度計に備えられた酸素センサが最高の状態の時の出力電圧が２１％酸素濃度を指し示すとして、現在までの経時変化や上記警戒年月日における気圧変化を考慮した時の出力電圧が何％酸素濃度に相当するかを表した数値である。ちなみに、新しく酸素濃度計を設置した時点の晴れの日では２１％である。
【００２１】
また、表示欄４０には判定処理の結果得られた酸素濃度計の危険度が表示され、例えば図６において、ＡＡ株式会社に設置されている酸素濃度計の場合、「危険」に属することが表示され、ＢＢ株式会社に設置されている酸素濃度計の場合、「警戒」に属することが表示されている。表示欄４１には備考として表示すべき内容が表示されている。「危険」に属する場合は、実際の雰囲気下においては酸素濃度は基準を満たしているのに、その酸素濃度計が警報を発する（誤報する）状態にあることを示しており、「警戒」に属する場合はその酸素濃度計について注意しなければならない状態にあることを示している。よって、「危険」に属する場合は、ユーザに対して誤報警戒通知を送る必要があるが、「警戒」に属する場合についてまでもユーザに対して誤報警戒通知を送る必要があるか否かは誤報警戒システム１の運用側の判断に任せられる。
【００２２】
ＣＰＵ１２は、ステップＳ８の判定処理において酸素濃度計が誤報しないと判定されたときは、一連の処理動作を終了する。他方、ＣＰＵ１２は、ステップＳ８の判定処理において酸素濃度計が誤報すると判定されたときは、メッセージ作成部１０において警報取消メッセージを作成させる（ステップＳ９）。警報取消メッセージの例としては、
「明日台風が接近します。貴社の１０５室に設置された酸素濃度計が警報を発する可能性がありますが、その警報を取り消します。」
といったメッセージがある。警報取消メッセージは文書の形式でもよいし、音声メッセージ、あるいは他の表現形式によるものでも良い。
【００２３】
この警報取消メッセージはメッセージ発報部１１へ送られ、ここから上記酸素濃度計の情報（ユーザ名や電話番号、或いはメールアドレス）に基づいてユーザに対し発報され（ステップＳ１０）、一連の処理を終了する。
【産業上の利用可能性】
【００２４】
本考案では、天候などの自然現象の変化が原因で計測器が誤報する可能性を事前に検知して、計測器の管理者に知らせることができ、有用である。
【符号の説明】
【００２５】
１  誤報警戒システム
２  操作部
３  表示部
４  記憶部
５  通信ネットワーク
６  通信部
７  タイマー
８  気圧情報取得部
９  判定部
１０  メッセージ作成部
１１  メッセージ発報部
１２  制御部（ＣＰＵ）
【図１】
0003199652.tif 000003
【図２】
0003199652.tif 000004
【図３】
0003199652.tif 000005
【図４】
0003199652.tif 000006
【図５】
0003199652.tif 000007
【図６】
0003199652.tif 000008
【図７】
0003199652.tif 000009